(57)【要約】【課題】床パネルを迅速に安定した状態にできるとともに、隣接する部材との接合が容易に行える床パネルの接続構造を提供する。【解決手段】梁部（２１，３２Ａ）に隣接して配置される床パネル３の接続構造である。  そして、床パネルは梁材（３１，３２，３３）によって長方形の枠組みが形成されており、床パネルの軒元梁３１と一方の妻梁３２には、隣接する梁部の上面に向けて張り出される据付け金具６とジョイント金具５が取り付けられている。  このジョイント金具５と据付け金具６は、隣接する梁部の上面に向けて張り出される上突出部５１，６１と梁材に固定させる固定部（５３，６２）とによって形成されている。【選択図】図１
2018159239.tif 000002
【特許請求の範囲】
【請求項１】
梁部に隣接して配置される床パネルの接続構造であって、
前記床パネルは梁材によって長方形の枠組みが形成されており、
前記床パネルの梁材の少なくとも１箇所には、隣接する梁部の上面に向けて張り出される張出し金具が取り付けられており、
前記張出し金具は、前記隣接する梁部の上面に向けて張り出される上突出部と前記梁材に固定させる固定部とによって形成されていることを特徴とする床パネルの接続構造。
【請求項２】
前記床パネルは直交する梁部に隣接して配置されているとともに、前記床パネルの前記梁部に隣接する２辺の梁材に前記張出し金具が取り付けられていることを特徴とする請求項１に記載の床パネルの接続構造。
【請求項３】
前記床パネルの少なくとも１箇所の前記梁材の端部を、柱部の側面に接合させることを特徴とする請求項１又は２に記載の床パネルの接続構造。
【請求項４】
前記床パネルの梁材はＣ形鋼によって形成されており、前記梁材の下フランジに前記張出し金具の下端から梁材側に突出された下突出部が接合されることを特徴とする請求項１乃至３のいずれか一項に記載の床パネルの接続構造。
【請求項５】
前記張出し金具の上突出部には、前記梁部への引っ掛け部が設けられていることを特徴とする請求項１乃至４のいずれか一項に記載の床パネルの接続構造。
【請求項６】
前記張出し金具の上突出部は、前記固定部から分離可能に構成されていることを特徴とする請求項１乃至５のいずれか一項に記載の床パネルの接続構造。
【請求項７】
請求項１乃至６のいずれか一項に記載の床パネルの接続構造によって外廊下が形成されることを特徴とする建物。
【発明の詳細な説明】
【技術分野】
【０００１】
本発明は、梁部に隣接して配置される床パネルの接続構造及び建物に関するものである。
【背景技術】
【０００２】
特許文献１に開示されているように梁間に跨るように床パネルを架け渡して、パネル取付け金物を使用して固定するパネル取付け構造が知られている。また、特許文献２に開示されているように、組立式の物置や簡易ハウスにおいて、床パネルを土台に固定するための押え金具が知られている。
【０００３】
さらに、特許文献３に開示されているように、柱と梁を接合させる際に、柱の上端の一部を切り欠いて段部を設け、梁の端部をその切り欠きに挿し込んで段部に載せて接合させる取付方法が開示されている。
【先行技術文献】
【特許文献】
【０００４】
【特許文献１】特開平８−３１２０４４号公報
【特許文献２】実開昭６３−５１１４号公報
【特許文献３】実開昭５６−１１０２０４号公報
【発明の概要】
【発明が解決しようとする課題】
【０００５】
しかしながら、外廊下などを構築するために床パネルを設置する場合に、設置現場では、できるだけ早い段階で安定した状態にし、作業のし易い方法で接合作業を行いたいという要望がある。
【０００６】
そこで、本発明は、床パネルを迅速に安定した状態にできるとともに、隣接する部材との接合が容易に行える床パネルの接続構造及び建物を提供することを目的としている。
【課題を解決するための手段】
【０００７】
前記目的を達成するために、本発明の床パネルの接続構造は、梁部に隣接して配置される床パネルの接続構造であって、前記床パネルは梁材によって長方形の枠組みが形成されており、前記床パネルの梁材の少なくとも１箇所には、隣接する梁部の上面に向けて張り出される張出し金具が取り付けられており、前記張出し金具は、前記隣接する梁部の上面に向けて張り出される上突出部と前記梁材に固定させる固定部とによって形成されていることを特徴とする。
【０００８】
ここで、前記床パネルは直交する梁部に隣接して配置されているとともに、前記床パネルの前記梁部に隣接する２辺の梁材に前記張出し金具が取り付けられている構成とすることができる。
【０００９】
また、前記床パネルの少なくとも１箇所の前記梁材の端部を、柱部の側面に接合させることができる。さらに、前記床パネルの梁材はＣ形鋼によって形成されており、前記梁材の下フランジに前記張出し金具の下端から梁材側に突出された下突出部が接合される構成とすることができる。
【００１０】
また、前記張出し金具の上突出部には、前記梁部への引っ掛け部が設けられている構成とすることもできる。さらに、前記張出し金具の上突出部は、前記固定部から分離可能に構成されていてもよい。
【００１１】
また、建物の発明は、上記いずれかに記載の床パネルの接続構造によって外廊下が形成されることを特徴とする。
【発明の効果】
【００１２】
このように構成された本発明の床パネルの接続構造及び建物は、床パネルの梁材に隣接する梁部の上面に向けて張り出される張出し金具が取り付けられていて、隣接する梁部の上面に張出し金具の上突出部を載せることができる。
【００１３】
このため、上突出部が梁部の上面に載った時点で床パネルを迅速に安定した状態にできるとともに、安定した状態で隣接する梁部などとの接合作業を容易に行うことができる。
【００１４】
特に直交する梁部の両方に、２辺の梁材から張り出された張出し金具の上突出部を載せることができれば、床パネルは傾きが起き難い状態になるため、より迅速に接合作業を行うことができる。
【００１５】
また、床パネルの梁材の端部を柱部の側面に接合させるのであれば、下からの作業ではなく側方からの作業で接合を行うことができるため、安全に接合作業を進めることができる。
【００１６】
さらに、床パネルの梁材がＣ形鋼によって形成されて、その下フランジに張出し金具の下突出部が接合される構成であれば、簡単に製作することができる。また、張出し金具の上突出部に梁部への引っ掛け部が設けられていれば、上突出部を梁部の上面に載せた後の脱落を防止することができる。
【００１７】
さらに、張出し金具の上突出部が固定部から分離可能に構成されていれば、設置作業後に上突出部が不要となった場合は、取り外して撤去することが容易にできる。
【図面の簡単な説明】
【００１８】
【図１】本実施の形態の床パネルの接続構造の構成を説明する平面図である。
【図２】外廊下が設けられた集合住宅の概略構成を示した模式図である。
【図３】外廊下が設けられた別の集合住宅の概略構成を示した模式図である。
【図４】外廊下を構成する床パネルを設置する作業を模式的に示した説明図である。
【図５】図２のＡ−Ａ矢視方向で見た断面図である。
【図６】図２のＢ−Ｂ矢視方向で見た断面図である。
【図７】図２のＣ−Ｃ矢視方向で見た断面図である。
【図８】ジョイント金具の構成を説明する斜視図である。
【図９】据付け金具の構成を説明する斜視図である。
【発明を実施するための形態】
【００１９】
以下、本発明の実施の形態について図面を参照して説明する。図１は、本実施の形態の床パネル３の接続構造の構成を説明する図で、図２は、床パネル３の接続構造が設けられた外廊下１１を備えた建物としての集合住宅１の概略構成を平面的に示した模式図である。
【００２０】
まず、集合住宅１の構成から説明すると、このような集合住宅１は、工場で製作される複数の建物ユニット２，・・・及び階段部１２や玄関１３が設けられる階段ユニット１２０などを建築現場に搬送し、基礎（図示省略）の上に横方向に並べて１階部を構築するとともに、それらの（下階）建物ユニット２，・・・の上に別の（上階）建物ユニット２，・・・を積み上げることで上層階を構築していく。
【００２１】
一方、集合住宅１を構成する建物ユニット２は、梁材と柱材とによって骨組みが形成される。建物ユニット２は、図１，５−７に示すように、四隅に配置される柱材としての柱部２２，・・・と、その柱部２２，・・・の上端間及び下端間に差し渡される梁材としての梁部２１・・・とによってボックス形の骨組構造体に形成される。
【００２２】
ここで、柱部２２は角形鋼管、梁部２１は断面視略コ字形の溝形鋼材によって形成されている。また、柱部２２と梁部２１は、接合枠材（図示省略）を介して溶接接合される。要するに建物ユニット２は、すべての隅角部が溶接接合されたラーメン構造体となっている。
【００２３】
そして、図２に示すように、複数の建物ユニット２，・・・が左右及び上下に連結されることによってユニット建物となる集合住宅１が構築される。建物ユニット２の外部に向いた側面には、外壁２３が設けられる。
【００２４】
本実施の形態では、間隔を置いて設置された建物ユニット２，２の間に外廊下１１が設けられた図２に図示した集合住宅１を例に主に説明する。それ以外にも、図３に示すように、一端の建物ユニット２から延伸されて他端が開放状態となる外廊下１１Ａが設けられた集合住宅１Ａなどへの適用が想定できる。
【００２５】
外廊下１１，１１Ａは、床パネル３，３Ａ，３Ｂ，３Ｃを並べて構築されることになるが、平面視の形状（大きさ）を除いて同様の構成となるため、図１に示した床パネル３を代表にして構成の説明を行う。
【００２６】
床パネル３は、４本の梁材によって長方形の枠組みが形成される。ここで、建物ユニット２側の梁材を軒元梁３１とし、軒元梁３１に平行する張り出された側の梁材を軒先梁３３とし、軒元梁３１及び軒先梁３３に直交してそれらの端部間に架け渡される梁材を妻梁３２，３２とする。
【００２７】
また、床パネル３には、軒元梁３１と軒先梁３３との間に複数の床小梁３４，・・・が妻梁３２に平行して架け渡される。なお、図１は、床パネル３の内部構造を分かり易くするために、床板３５を省略して図示した。
【００２８】
床パネル３には、図５−図７に示すように、上面側に床板３５が敷設され、下面側に軒天パネル３６が貼り付けられる。床板３５の表面は、塩ビ鋼板又は塩化ビニルシートなどで防水処理が施される。
【００２９】
ここで、床パネル３の上面側と下面側には、接合作業のための開口が設けられており、作業後に現地床板３５１及び現地軒天パネル３６１によってそれらの開口は塞がれる。
【００３０】
本実施の形態の外廊下１１は、図２−図４に示すように、平面視で床パネル３，３Ａ−３Ｃの外側に配置された支柱４によって、張出し側の側縁が支持される。
【００３１】
支柱４は、図４に示すように、ベース部４２から立設される柱部である。図１，５に示すように、支柱４の側面４１に、床パネル３，３Ａの妻梁３２，３２Ａの端部が接合ボルト４５によって接合される。
【００３２】
この支柱４は、例えば角形鋼管によって形成され、周囲が化粧カバー４４によって覆われる。また、１階分の高さの支柱４には、図５に示すように、連結ピン４３１によって上部支柱４３が接続される。
【００３３】
そして、床パネル３には、図１に示すように、妻梁３２に張出し金具となるジョイント金具５が取り付けられ、軒元梁３１に張出し金具となる据付け金具６が取り付けられる。
【００３４】
すなわち、直交する梁部（３２Ａ，２１）に隣接して配置される床パネル３には、梁部（３２Ａ，２１）に隣接する妻梁３２及び軒元梁３１に、それぞれ張出し金具（５，６）が取り付けられる。
【００３５】
ジョイント金具５は、図８に示すように、側面視略Ｚ字形に形成される。詳細にはジョイント金具５は、妻梁３２Ａの上面に向けて張り出される上突出部５１と、その側縁から垂下される垂直面部５２と、その下端から上突出部５１の反対方向に突出される下突出部５３とによって主に形成される。
【００３６】
上突出部５１の開放側の側縁からは、引っ掛け部５４が垂下される。また、上突出部５１には、接合ボルト５５を挿通させるための接合穴５６と、位置調整の際に使用されるシノ穴５１１とがそれぞれ穿孔される。
【００３７】
固定部となる下突出部５３は、床パネル３の妻梁３２側に突出され、図６に示すように、下フランジ３２１の上面に溶接によって接合される。垂直面部５２は、妻梁３２の梁高とほぼ同じ高さに形成され、妻梁３２Ａの上フランジ３２２に上突出部５１が密着される。
【００３８】
上突出部５１の側縁から垂下される引っ掛け部５４は、妻梁３２Ａの上フランジ３２２から床パネル３Ａの内部側に少し離隔した位置に配置される。そして、床パネル３が床パネル３Ａから離隔する方向に水平移動すると、引っ掛け部５４が妻梁３２Ａの上フランジ３２２に引っ掛かって落下が防止される。
【００３９】
一方、据付け金具６は、図９に示すように、上突出部６１と、上突出部６１の一方の側縁の略中央から垂直下方に向けて延設される固定部６２と、上突出部６１と固定部６２とを分離可能に接合させる連結ボルト６３とによって主に形成される。
【００４０】
上突出部６１の梁部２１側に張り出させる側縁からは、引っ掛け部６４が垂下される。また、上突出部６１には、位置調整の際に使用されるシノ穴６１１が穿孔される。
【００４１】
固定部６２は、図１に示すように、溝形（平面視略コ字形）の鋼材によって本体が形成される。この溝形の本体の側端面が軒元梁３１のウエブ３１１に突き当てられて溶接によって接合される。
【００４２】
図７，９に示すように、固定部６２の上端には、舌部６２１が設けられ、上突出部６１の下面に沿って延びる舌部６２１に連結ボルト６３が通され、上突出部６１と固定部６２とが分離可能に連結される。
【００４３】
上突出部６１の側縁から垂下される引っ掛け部６４は、梁部２１の上フランジ２１１から建物ユニット２の内部側に少し離隔した位置に配置される。そして、床パネル３が建物ユニット２から離隔する方向に水平移動すると、引っ掛け部６４が梁部２１の上フランジ２１１に引っ掛かって落下が防止される。
【００４４】
さらに、固定部６２の梁部２１側の側面には、接合穴６５（図９参照）が穿孔されており、接合ボルト２１２によって固定部６２と梁部２１との接合が行われる。
【００４５】
次に、本実施の形態の集合住宅１の外廊下１１の構築方法について説明する。
【００４６】
まず、図４に示すように、１階分の高さの支柱４を建て、その支柱４に対して階段ユニット１２０と建物ユニット２との入隅に配置される床パネル３Ａを固定する。
【００４７】
この床パネル３Ａは、小型のパネルのため、張出し金具を使用しなくても容易に設置することができるが、必要に応じて据付け金具６を階段ユニット１２０側の軒元梁３１と建物ユニット２側の妻梁３２に取り付けておくことができる。
【００４８】
床パネル３Ａの妻梁３２の端部は、それより外側に立設された支柱４の側面４１に接合ボルト４５によって固定される（図５参照）。支柱４の配置を床パネル３の外側にしたことにより、作業員は側方から接合作業を行うことができる。
【００４９】
このため、クレーンで吊り下げた状態の床パネル３Ａの下に入る必要がなく、安全に作業を行うことができる。この妻梁３２の端部と支柱４との接合は、図３に示した集合住宅１Ａにおいては、床パネル３Ｂ，３Ｃに対しても行われる。
【００５０】
続いて図４に示すように、支柱４と建物ユニット２及び階段ユニット１２０に固定された床パネル３Ａに隣接して、床パネル３を設置する。図６に示すように、床パネル３には移動用に吊り金具７１が取り付けられており、その吊り金具７１にクレーンのフック７２を玉掛けして、吊り上げた床パネル３を床パネル３Ａの横にゆっくりと降ろす。
【００５１】
床パネル３を降下させると、妻梁３２Ａに向けて張り出されたジョイント金具５の上突出部５１が、上フランジ３２２上に載置されることになる。これと同時に、図７に示すように、梁部２１に向けて張り出された据付け金具６の上突出部６１が、上フランジ２１１上に載置されることになる。
【００５２】
このようにして床パネル３の直交する妻梁３２側と軒元梁３１側とが固定された梁部（３２Ａ，２１）に載せられると、床パネル３は安定した状態になる。その安定した状態で、ジョイント金具５及び据付け金具６に設けられたシノ穴５１１，６１１を利用して、床パネル３の位置の微調整を行う。
【００５３】
そして、正確な位置に床パネル３を配置した後に、図６に示すように、上突出部５１の上方から接合ボルト５５を装着して、床パネル３を床パネル３Ａに固定する。この作業の段階では、現地床板３５１は取り付けられておらず、例えば先に固定された床パネル３Ａの上から安全に接合作業を行うことができる。
【００５４】
一方、梁部２１に対しては、図７に示すように、ウエブ２１３に接合ボルト２１２を装着して据付け金具６の固定部６２に接合させることで、床パネル３を梁部２１に固定する。
【００５５】
こうした固定方法であれば、従来のＬ形金具による固定のときのように下から作業する必要がなく、部品（Ｌ形金具）を削減できるうえに安全に接合作業を行うことができる。また、下からの作業では、上の作業のための移動に時間を要することになるが、上からの作業だけで済めば、施工時間を短縮することができる。
【００５６】
そして、固定して安定した状態となった床パネル３には、手摺り部１４を取り付ける。なお、この手摺り部１４は、工場で予め床パネル３に取り付けておくこともできる。
【００５７】
また、現地床板３５１で開口を塞いだ後に床板３５の上面に塩化ビニルシートを敷設するなどして防水処理を施す。さらに、床パネル３の下面側には、現地軒天パネル３６１を取り付けて作業用の開口部を塞ぐ。
【００５８】
次に、本実施の形態の床パネル３の接続構造、及びそれによって外廊下１１，１１Ａが形成された集合住宅１，１Ａの作用について説明する。
【００５９】
このように構成された本実施の形態の床パネル３の接続構造及び集合住宅１，１Ａは、床パネル３の梁材（３１，３２）に隣接する梁部（２１，３２Ａ）の上面に向けて張り出される張出し金具（５，６）が取り付けられていて、隣接する梁部（２１，３２Ａ）の上フランジ２１１，３２２に張出し金具の上突出部５１，６１を載せることができる。
【００６０】
このため、上突出部５１が妻梁３２Ａの上フランジ３２２及び上突出部６１が梁部２１の上フランジ２１１に載った時点で、床パネル３を迅速に安定した状態にできる。
【００６１】
そして、安定した状態の床パネル３の側方又は上方から接合が行えるので、作業が容易かつ安全に行え、作業性に優れている。すなわち、直交する梁部（２１，３２Ａ）の両方に、２辺の梁材（３１，３２）から張り出されたジョイント金具５及び据付け金具６の上突出部５１，６１を載せることができれば、床パネル３は傾きが起き難い状態になるため、より迅速に接合作業を行うことができる。
【００６２】
また、床パネル３の妻梁３２，３２Ａの端部を支柱４の側面４１に接合させるのであれば、下からの作業ではなく側方からの作業で接合を行うことができるため、吊り荷の下に入る必要がなく安全に接合作業を進めることができる。
【００６３】
さらに、１枚の床パネル３に対して、１本の支柱４で支持させることができるので、施工を省力化できる。こうした省力化の効果は、廊下が長くなって床パネル３の数が増えても得ることができる。
【００６４】
さらに、床パネル３の妻梁３２がＣ形鋼によって形成されて、その下フランジ３２１にジョイント金具５の下突出部５３が接合される構成であれば、簡単に製作することができる。
【００６５】
また、張出し金具（５，６）の上突出部５１，６１に梁部（２１，３２Ａ）への引っ掛け部５４，６４が設けられていれば、上突出部５１，６１を梁部（２１，３２Ａ）の上フランジ２１１，３２２に載せた後の脱落を防止することができる。
【００６６】
さらに、据付け金具６の上突出部６１が連結ボルト６３を外すことによって固定部６２から分離可能に構成されていれば、設置作業後に上突出部６１が不要となった場合は、取り外して撤去することが容易にできる。
【００６７】
以上、図面を参照して、本発明の実施の形態を詳述してきたが、具体的な構成は、この実施の形態に限らず、本発明の要旨を逸脱しない程度の設計的変更は、本発明に含まれる。
【００６８】
例えば、前記実施の形態では、建物ユニット２，・・・によって構築される集合住宅１，１Ａを例に建物を説明したが、これに限定されるものではなく、在来工法など他の工法で構築される建物に設けられる床パネルにも、本発明を適用することができる。
【００６９】
また、前記実施の形態では、両端に建物ユニット２，２がある外廊下１１及び一方の端部に建物ユニット２がある外廊下１１Ａについて説明したが、これに限定されるものではなく、両端が開放された外廊下であってもよい。
【符号の説明】
【００７０】
１，１Ａ        集合住宅（建物）
１１，１１Ａ    外廊下
２１            梁部
２１１          上フランジ（上面）
３，３Ａ，３Ｂ，３Ｃ  床パネル
３１            軒元梁（梁材）
３２            妻梁（梁材）
３２Ａ          妻梁（梁部）
３２２          上フランジ（上面）
３３            軒先梁（梁材）
４              支柱（柱部）
４１            側面
５              ジョイント金具（張出し金具）
５１            上突出部
５３            下突出部（固定部）
５４            引っ掛け部
６              据付け金具（張出し金具）
６１            上突出部
６２            固定部
６４            引っ掛け部
【図１】
2018159239.tif 000003
【図２】
2018159239.tif 000004
【図３】
2018159239.tif 000005
【図４】
2018159239.tif 000006
【図５】
2018159239.tif 000007
【図６】
2018159239.tif 000008
【図７】
2018159239.tif 000009
【図８】
2018159239.tif 000010
【図９】
2018159239.tif 000011